(57)【要約】【課題】  壁の貫通孔から引き出される管の配管作業性を向上させることができる管設置具を提供する。【解決手段】  管設置具５は、壁裏３に配管される可撓性を有する管４を、壁１に形成された貫通孔１ａから壁表２に引き出して設置するためのものである。この管設置具５は、壁裏３に配置される設置具本体６と、壁表２に配置されて貫通孔１ａを介して設置具本体６に固定される覆い体７とを備える。覆い体７は、貫通孔１ａを覆う覆い部７ａと、管４が引き出される引出口７ｂとを有する。この引出口７ｂは、その向く方向が壁１の壁面１ｂに対して傾斜して設けられる。そして、覆い体７は、引出口７ｂの向く傾斜方向を変更すべく、壁１に沿う方向に回動した複数位置の一つを選択して設置具本体６に固定可能となっている。【選択図】  図４
2015140593.tif 000002
【特許請求の範囲】
【請求項１】
壁裏に配管される可撓性を有する管を、壁に形成された貫通孔から壁表に引き出して設置するための管設置具であって、
壁裏に配置される設置具本体と、壁表に配置されて前記貫通孔を介して前記設置具本体に固定される覆い体とを備え、
前記覆い体は、前記貫通孔を覆う覆い部と、前記管が引き出される引出口とを有し、
前記引出口は、その向く方向が前記壁の壁面に対して傾斜して設けられ、
前記覆い体は、前記引出口の向く傾斜方向を変更すべく、前記壁に沿う方向に回動した複数位置の一つまたは任意位置を選択して前記設置具本体に固定可能である、管設置具。
【請求項２】
前記覆い体は、裏面から突出する嵌合凸部を備え、前記設置具本体は、前記嵌合凸部が、前記壁に沿う方向に回動した複数位置または任意位置で嵌合する被嵌合部を備える、請求項１に記載の管設置具。
【請求項３】
前記被嵌合部は、複数の凹部を有し、それら凹部のいずれかが選択されて、その選択された凹部に前記嵌合凸部が嵌合する、請求項２に記載の管設置具。
【請求項４】
前記嵌合凸部には、前記覆い体を前記設置具本体に固定するために、壁裏側からビスが螺合するビス螺合部が設けられる、請求項２または３に記載の管設置具。
【発明の詳細な説明】
【技術分野】
【０００１】
この発明は、可撓性を有する管を、壁に形成された貫通孔から引き出して設置するための、管設置具に関するものである。
【背景技術】
【０００２】
従来、壁裏に配管された管を、壁の貫通孔から壁表に引き出して設置するために、管設置具が用いられた（例えば、特許文献１参照）。図１２に示すように、この管設置具２４は、壁２１に形成された貫通孔２１ａに挿入されて内部を通水管２３が通る本体２５を備えていた。そして、この本体２５は、壁表２２側に、傾斜した筒体部２６を有し、その筒体部２６には、引出部材２７が組み付けられた。この引出部材２７は、二本の通水管２３、２３を個別に引き出すために、筒体部２６の延びる方向を向く二つの引出口２８、２８を有していた。そして、この引出部材２７は、二本の通水管２３、２３を曲げて配管する際、それら二本の通水管２３、２３がその曲がりの法線方向に重なり合うことのないよう、筒体部２６の軸心２６ａを中心として回動可能に形成されて、二つの引出口２８、２８の並びの方向を変えることができるようになっていた。
【先行技術文献】
【特許文献】
【０００３】
【特許文献１】特開２００６−２０７２００号公報
【発明の概要】
【発明が解決しようとする課題】
【０００４】
ところで、前記従来の管設置具２４においては、引出口２８、２８の傾斜方向を変えることはできず、引出口２８の近傍に障害物があると、通水管（管）２３を急激に曲げて配管しなければならなかったり、通水管２３を曲げたとしても障害物を避けることができなかったりした。特に、ユニットバス回りにあっては、壁と浴槽との間が狭く、限られたスペースでの設置は、非常に困難を伴うものとなっていた。
【０００５】
この発明は、上記した従来の欠点を解決するためになされたものであり、その目的とするところは、壁の貫通孔から引き出される管の配管作業性を向上させることができる管設置具を提供することにある。
【課題を解決するための手段】
【０００６】
この発明に係る管設置具は、前記目的を達成するために、次の構成からなる。すなわち、
請求項１に記載の発明に係る管設置具は、壁裏に配管される可撓性を有する管を、壁に形成された貫通孔から壁表に引き出して設置するための管設置具である。この管設置具は、壁裏に配置される設置具本体と、壁表に配置されて前記貫通孔を介して前記設置具本体に固定される覆い体とを備える。ここで、前記覆い体は、前記貫通孔を覆う覆い部と、前記管が引き出される引出口とを有する。この引出口は、その向く方向が前記壁の壁面に対して傾斜して設けられる。そして、前記覆い体は、前記引出口の向く傾斜方向を変更すべく、前記壁に沿う方向に回動した複数位置の一つまたは任意位置を選択して前記設置具本体に固定可能である。
【０００７】
この管設置具によると、壁裏には、設置具本体が配置され、壁表には、壁の貫通孔を覆う覆い体が配置される。この覆い体は、壁面に対して傾斜する、管の引出口を有している。そこで、覆い体を、壁に沿う方向に回動した複数位置の一つまたは任意位置を選択して設置具本体に固定することで、覆い体の引出口の向く傾斜方向が変更される。したがって、引出口の近傍に障害物があったとしても、覆い体の回動位置を選択することで、引出口の向く傾斜方向を、障害物のある方向を避けた方向に向けることができる。このため、引出口から引き出された管を、急激に曲げることもなく、容易に配管することができる。また、引出口の向く傾斜方向を変更することで、引出口から引き出された管を、作業者の位置に応じた作業のし易い方向に向けることもできる。
【０００８】
また、請求項２に記載の発明に係る管設置具は、請求項１に記載の管設置具において、前記覆い体は、裏面から突出する嵌合凸部を備える。一方、前記設置具本体は、前記嵌合凸部が、前記壁に沿う方向に回動した複数位置または任意位置で嵌合する被嵌合部を備える。
【０００９】
また、請求項３に記載の発明に係る管設置具は、請求項２に記載の管設置具において、前記被嵌合部は、複数の凹部を有し、それら凹部のいずれかが選択されて、その選択された凹部に前記嵌合凸部が嵌合する。
【００１０】
また、請求項４に記載の発明に係る管設置具は、請求項２または３に記載の管設置具において、前記嵌合凸部には、前記覆い体を前記設置具本体に固定するために、壁裏側からビスが螺合するビス螺合部が設けられる。
【発明の効果】
【００１１】
この発明に係る管設置具によれば、覆い体の引出口を、壁面に対して傾斜するように設けるとともに、覆い体を、壁に沿う方向に回動した複数位置の一つまたは任意位置を選択して設置具本体に固定可能とすることで、引出口の向く方向を変更して、管の急激な曲げを避けて障害物を回避したり、管を作業者の位置に応じた作業のし易い方向に向けたりすることができ、壁の貫通孔から引き出される管の配管作業性を向上させることができる。
【図面の簡単な説明】
【００１２】
【図１】この発明の一実施の形態の、管設置具の斜視図である。
【図２】同じく、設置具本体の斜視図である。
【図３】同じく、覆い体本体の斜視図である。
【図４】同じく、管設置具を壁に設けた全体図である。
【図５】同じく、縦断面図である。
【図６】同じく、壁表側から見た図である。
【図７】同じく、壁裏側から見た図である。
【図８】同じく、覆い体を回動したときの、壁表側から見た図である。
【図９】同じく、覆い体を回動したときの、壁裏側から見た図である。
【図１０】同じく、管設置具を浴室の壁に用いた、全体図である。
【図１１】同じく、同じく、要部拡大斜視図である。
【図１２】従来の管設置具を示す縦断面図である。
【発明を実施するための形態】
【００１３】
以下、この発明に係る管設置具を実施するための形態を図面に基づいて説明する。
【００１４】
図１〜図１１は、本発明の一実施の形態を示す。図中符号１は、建物等の壁を示す。２は、前記壁１の表側である壁表を示し、３は、壁１の裏側である壁裏を示す。４は、通水管等の可撓性を有する管を示す。５は、管設置具を示す。
【００１５】
この管設置具５は、壁裏３に配管される可撓性を有する管４を、壁１に形成された貫通孔１ａから壁表２に引き出して設置するためのものである。この管設置具５は、壁裏３に配置される設置具本体６と、壁表２に配置されて前記貫通孔１ａを介して設置具本体６に固定される覆い体７とを備える。ここで、覆い体７は、貫通孔１ａを覆う覆い部７ａと、管４が引き出される引出口７ｂとを有する。そして、この引出口７ｂは、その向く方向が壁１の壁面１ｂに対して傾斜して設けられる。また、覆い体７は、引出口７ｂの向く方向（傾斜方向）を変更すべく、壁１に沿う方向に回動した（つまり、壁面１ｂに垂直な軸心回りに回動した）複数位置の一つまたは任意位置（図示実施の形態においては、複数位置の一つ）を選択して設置具本体６に固定可能となっている。
【００１６】
詳細には、覆い体７は、裏面から突出する嵌合凸部７ｃを備える。その一方で、設置具本体６は、覆い体７の嵌合凸部７ｃが、壁１に沿う方向に回動した複数位置または任意位置（図示実施の形態においては、複数位置）で嵌合する被嵌合部６ａを備える。より詳細には、被嵌合部６ａは、複数の凹部６ｂ、６ｂを有し、それら凹部６ｂ、６ｂのいずれかが選択されて、その選択された凹部６ｂに前記嵌合凸部７ｃが嵌合する。
【００１７】
具体的には、壁１は、浴室の壁、例えば、ユニットバスの壁からなる。管４は、水や湯が通る通水管であって、水や湯を供給するための管とか、追焚き用の管とかからなる。
【００１８】
管設置具５においては、設置具本体６は、案内筒部６ｃを備える。この案内筒部６ｃは壁裏３において、壁１に沿う方向から、前方に湾曲して形成され、その内部を、壁裏３に配管された管４が通ることで、管４は、壁１に沿う方向から貫通孔１ａを通るように案内される。ここで、案内筒部６ｃは、壁１に沿う側の端部に、リング状の鞘管取付部６ｄが設けられており、この鞘管取付部６ｄに、管４を壁裏３側で収容保護する鞘管８が取り付けられる。
【００１９】
そして、設置具本体６は、案内筒部６ｃの前端から鍔状に張り出すフランジ６ｅを備えており、このフランジ６ｅが、壁１の裏側の面に当接する。そして、このフランジ６ｅには、設置具本体６を壁１に固定するためのビス（図示せず）が挿入される取付孔６ｆがあけられている。
【００２０】
また、設置具本体６は、フランジ６ｅから後方に突出するようにして、前述した被嵌合部６ａを備える。この被嵌合部６ａには、左右のそれぞれに、弧状に並ぶようにして複数（図示実施の形態においては、三つ）、前述した凹部６ｂが設けられる。この凹部６ｂは、フランジ６ｅを貫通して後方に深穴状に延びるように形成され、また、側方に開口するように（詳しくは、フランジ６ｅの後方にて、側方に開口するように）形成される。そして、凹部６ｂは、その延びる方向に直交する断面形状が、側方に開口する側が、幅広となる平行な直線形状に形成され、その奥側が、半円形状に形成された、略Ｕ字形状となっている（図７、図９参照）。そこで、左右各一の凹部６ｂが選択されて、その選択された凹部６ｂに覆い体７の嵌合凸部７ｃが嵌合する。また、凹部６ｂは、後方が閉塞し、その閉塞した底部６ｇには、ビス９が通るビス孔６ｈがあけられている。ここで、図４〜図７は、左右の各側において、中央の凹部６ｂが選択されて嵌合凸部７ｃが嵌合した状態を示し、引出口７ｂは、壁面１ｂに直交するところの鉛直面に沿った方向を向く。そして、図８〜図９は、左右の各側において、壁裏３側から見た図（図９）で左回り（反時計回り）の位置にある凹部６ｂが選択されて嵌合凸部７ｃが嵌合した状態を示し、引出口７ｂは、壁表２側から見た図（図８）で右回り方向（時計回り方向）に振れた方向を向く。また、図示を省略するが、左右の各側において、壁裏３側から見て右回り（時計回り）の位置にある凹部６ｂが選択されて嵌合凸部７ｃが嵌合すれば、引出口７ｂは、壁表２側から見て左回り方向（反時計回り方向）に振れた方向を向く。こうして、引出口７ｂを右にも左にも振れた方向を向かせることができ、このため、後述の図１０および図１１においては、管設置具５を左側の壁１に適用したが、右側の壁に適用することもできる。
【００２１】
覆い体７は、覆い体本体１０と引出部材１１とロックナット１２とを備える。覆い体本体１０は、壁裏３側から貫通孔１ａを通って壁表２側に引き出される管４が通る筒部１０ａを有し、この筒部１０ａは、斜め前方に突出して形成される。そして、覆い体本体１０は、筒部１０ａの後端から側方に張り出す鍔部１０ｂを備え、この鍔部１０ｂ（図示実施の形態においては、鍔部１０ｂにパッキン１０ｃが設けられ、そのパッキン１０ｃ）が、壁１の表側の面に当接する。
【００２２】
また、覆い体本体１０は、鍔部１０ｂから後方に突出するようにして、前述した嵌合凸部７ｃを備える。この嵌合凸部７ｃは、後方に棒状に延びるように形成され、その延びる方向に直交する断面形状は、凹部６ｂに対応して、一方側が、幅広となる平行な直線形状に形成され、他方側が、半円形状に形成された、略Ｕ字形状となっている（図７、図９参照）。そして、嵌合凸部７ｃは、設置具本体６における左右の凹部６ｂに対応して二つ設けられる。ところで、この嵌合凸部７ｃが長く形成され、そして、対応する凹部６ｂが深く形成されており、管設置具５は、幅広い壁１の厚み（壁厚）に対応することができる。
【００２３】
また、各嵌合凸部７ｃには、覆い体７を設置具本体６に固定するために、壁裏３側からビス９が螺合するビス螺合部７ｄ（図示実施の形態においては、ナット）が設けられる。そして、嵌合凸部７ｃは、ビス螺合部７ｄ（ナット）よりも先端側（つまり、後方）に、ビス９が通る通し孔１０ｄがあけられ、ビス螺合部７ｄ（ナット）よりも基端側（つまり、前方）に、ビス９を逃がす、側方に開口した逃がし孔１０ｅがあけられる（図３、図４参照）。そこで、ビス９は、設置具本体６におけるビス孔６ｈ（詳しくは、ビス孔６ｈおよび通し孔１０ｄ）に挿入されて、ビス螺合部７ｄにねじ込まれることで、覆い体７は、設置具本体６に固定される。そして、このとき、嵌合凸部７ｃは、壁裏３側に向かって引き込まれて、壁１は、覆い体７（詳しくは、鍔部１０ｂ）と、設置具本体６（詳しくは、フランジ６ｅ）とで挟持される。なお、図中符号１３は、嵌合凸部７ｃが挿入されない凹部６ｂに嵌められるキャップを示し、このキャップ１３により、凹部６ｂは、フランジ６ｅを貫通する部分が、その後方から塞がれる（図４、図７参照）。
【００２４】
引出部材１１は、覆い体本体１０の前端の開口を塞ぐ塞ぎ部１１ａと、その塞ぎ部１１ａに設けられる前述の引出口７ｂとを備える。そこで、この引出部材１１における塞ぎ部１１ａと、覆い体本体１０とで、前述の覆い部７ａが形成される。そして、引出口７ｂは、塞ぎ部１１ａから筒状に突出して形成され、前述したように、その向く方向が、壁１の壁面１ｂ（つまりは、鍔部１０ｂ（パッキン１０ｃを含む）の面）に対して傾斜している。なお、図示実施の形態においては、引出口７ｂは、三つ設けられているが、一つとか二つ、あるいは四つ以上設けられてもよい。
【００２５】
ロックナット１２は、覆い体本体１０に、引出部材１１を取り付けるためのものであり、引出部材１１を押えるために内側に張り出した押え部１２ａを有する。そして、このロックナット１２は、覆い体本体１０における筒部１０ａの前端部分にねじ込まれて組み付けられる。
【００２６】
図１０および図１１は、管４が浴室の壁１を貫通し、その貫通する部分にこの管設置具５を設けた例を示す。ここで、符号１４は、浴槽を示し、この浴槽１４（障害物）を避けるために、管４が壁表２において図の手前側を向く方向に引き出されるように、覆い体７が設置具本体６に固定される。なお、これら図においては、覆い体７における引出部材１１およびロックナット１２は、省略してある。
【００２７】
次に、以上の構成からなる管設置具５の作用効果について説明する。この管設置具５によると、壁裏３には、設置具本体６が配置され、壁表２には、壁１の貫通孔１ａを覆う覆い体７が配置される。この覆い体７は、壁面１ｂに対して傾斜する、管４の引出口７ｂを有している。そこで、覆い体７を、壁１に沿う方向に回動した複数位置の一つまたは任意位置（図示実施の形態においては、複数位置の一つ）を選択して設置具本体６に固定することで、覆い体７の引出口７ｂの向く傾斜方向が変更される。
【００２８】
したがって、引出口７ｂの近傍に障害物があったとしても、覆い体７の回動位置を選択することで、引出口７ｂの向く傾斜方向を、障害物のある方向を避けた方向に向けることができる。このため、引出口７ｂから引き出された管４を、急激に曲げることもなく、容易に配管することができる。また、引出口７ｂの向く傾斜方向を変更することで、引出口７ｂから引き出された管４を、作業者の位置に応じた作業のし易い方向に向けることもできる。すなわち、この管設置具５によれば、覆い体７の引出口７ｂを、壁面１ｂに対して傾斜するように設けるとともに、覆い体７を、壁１に沿う方向に回動した複数位置の一つまたは任意位置（図示実施の形態においては、複数位置の一つ）を選択して設置具本体６に固定可能とすることで、引出口７ｂの向く方向を変更して、管４の急激な曲げを避けて障害物を回避したり、管４を作業者の位置に応じた作業のし易い方向に向けたりすることができ、壁１の貫通孔１ａから引き出される管４の配管作業性を向上させることができる。そして、このことは、ユニットバスのような配管スペースとか作業スペースの限られた場所において、その効果が顕著となる。
【００２９】
また、設置具本体６の被嵌合部６ａにおける凹部６ｂは、側方に開口している。そこで、覆い体７を設置具本体６に固定するにあたって、壁裏３にて、ビス螺合部７ｄに、ビス９を螺合させる際に、凹部６ｂに挿入された嵌合凸部７ｃを、凹部６ｂの側方への開口を通して、作業者が指などで支えることで、ビス螺合部７ｄへのビス９の掛かりを支障なく行うことができ、ひいては、覆い体７を設置具本体６に固定する作業を容易に行うことができる。
【００３０】
なお、本発明は、上述した実施の形態に限定されるわけではなく、その他種々の変更が可能である。例えば、壁１は、ユニットバスの壁等、建物に配備される設備の壁でなくとも、建物そのものを構成する壁であってもよい。
【００３１】
また、管４は、通水管でなくとも、排水管であってもよく、また、広く流体管、あるいは、電線管等、その他の管であってもよい。
【００３２】
また、壁裏３では、管４が鞘管８に収容されるが、鞘管８が設けられることなく、管４が露出した状態で、壁裏３に配管されてもよい。そして、この場合には、設置具本体６における鞘管取付部６ｄとか案内筒部６ｃは、設けられなくともよい。
【００３３】
また、この管配置具５にあっては、設置具本体６と覆い体７のうち、覆い体７にビス螺合部７ｄが設けられて、そのビス螺合部７ｄに壁裏３側からビス９が螺合されるが、反対に、設置具本体６にビス螺合部を設けて、そのビス螺合部に壁表２側からビスが螺合するようにしてもよい。
【００３４】
また、覆い体７を設置具本体６に固定するにあたって、一つの嵌合凸部７ｃに対し、複数（図示実施の形態においては、三つ）の凹部６ｂ、６ｂを有して、それら凹部６ｂ、６ｂの一つが選択されて、その選択された凹部６ｂに嵌合凸部７ｃが嵌合するが、複数の凹部６ｂ、６ｂに替えて、例えば、円弧状に延びる長孔状の凹部を設けることで、嵌合凸部７ｃが、壁１に沿う方向に回動した任意位置でその凹部（被嵌合部）に嵌合するようにしてもよい。すなわち、覆い体７を、壁１に沿う方向に回動した任意位置を選択して設置具本体６に固定するものであってもよい。
【００３５】
また、覆い体７は、引出部材１１を覆い体本体１０に取り付けるにあたって、ロックナット１２が設けられるが、覆い体本体１０と引出部材１１とを一体に形成することで、ロックナット１２をなくしてもよい。
【符号の説明】
【００３６】
１  壁
１ａ  貫通孔
１ｂ  壁面
２  壁表
３  壁裏
４  管
５  管設置具
６  設置具本体
６ａ  被嵌合部
６ｂ  凹部
７  覆い体
７ａ  覆い部
７ｂ  引出口
７ｃ  嵌合凸部
７ｄ  ビス螺合部
９  ビス
【図１】
2015140593.tif 000003
【図２】
2015140593.tif 000004
【図３】
2015140593.tif 000005
【図４】
2015140593.tif 000006
【図５】
2015140593.tif 000007
【図６】
2015140593.tif 000008
【図７】
2015140593.tif 000009
【図８】
2015140593.tif 000010
【図９】
2015140593.tif 000011
【図１０】
2015140593.tif 000012
【図１１】
2015140593.tif 000013
【図１２】
2015140593.tif 000014